(57)【要約】【課題】  芯ブレーカをより確実に固定する。【解決手段】  シャープペンシルユニットであって、鉛芯ｘを芯ブレーカ３０に挿通して繰出すようにした鉛芯繰出し機構Ｍ１と、鉛芯繰出し機構Ｍ１を内在する保持筒１０とを備えたシャープペンシルユニットにおいて、保持筒１０は、複数の筒部を前後に接続して構成され、芯ブレーカ３０は、前後の前記筒部の間に挟まれて支持されている。【選択図】  図２
2020116913.tif 000002
【特許請求の範囲】
【請求項１】
鉛芯を芯ブレーカに挿通して繰出すようにした鉛芯繰出し機構と、前記鉛芯繰出し機構を内在する保持筒とを備えたシャープペンシルユニットにおいて、
前記保持筒は、複数の筒部を前後に接続して構成され、
前記芯ブレーカは、前後の前記筒部の間に挟まれて支持されていることを特徴とするシャープペンシルユニット。
【請求項２】
前記芯ブレーカの後端側に、径方向外側へ突出する鍔部を設け、この鍔部を、前後に隣接する前記筒部の間に挟んでいることを特徴とする請求項１記載のシャープペンシルユニット。
【請求項３】
前記芯ブレーカよりも前側にて前記保持筒の前端開口部に挿通されて前方へ突出するホルダーと、前記鉛芯から前記ホルダーに加わる径方向の力成分により前記ホルダーを前記保持筒に相対し前進させ傾斜させる運動方向変換機構と、前記ホルダーを後方へ付勢するホルダー付勢部材とを具備し、
前記芯ブレーカは、その前端側に、前記保持筒の内周面との間に隙間を確保して縮径した縮径部を有し、この縮径部によって前記ホルダーの後端部を弾性的に受けていることを特徴とする請求項１又は２記載のシャープペンシルユニット。
【請求項４】
隣接する前後の前記筒部が、螺合接続されていることを特徴とする請求項１〜３何れか１項記載のシャープペンシルユニット。
【請求項５】
隣接する前後の前記筒部が、圧入嵌合により接続固定されていることを特徴とする請求項１〜３何れか１項記載のシャープペンシルユニット。
【請求項６】
請求項１〜５何れか１項記載のシャープペンシルユニットを具備したことを特徴とする出没式筆記具。
【請求項７】
前後の前記筒部を接続する際に、これら筒部の間に前記芯ブレーカを挟持する工程を含むことを特徴とする請求項１〜５何れか１項記載のシャープペンシルユニットの製造方法。
【発明の詳細な説明】
【技術分野】
【０００１】
本発明は、シャープペンシル用リフィールやシャープペンシル等を構成するシャープペンシルユニット、及び該シャープペンシルユニットを具備した出没式筆記具、並びにシャープペンシルユニットの製造方法に関するものである。
【背景技術】
【０００２】
従来、この種の発明に関連し、例えば特許文献１には、保持筒と、保持筒の前側開口部に挿通されてこの保持筒の前端から前方へ突出するとともにこの保持筒に対し進退可能に支持されたホルダーと、鉛芯を芯ブレーカに挿通し前記ホルダーへ向けて繰出す鉛芯繰出し機構と、鉛芯からホルダーに加わる径方向の力によりこのホルダーを保持筒及び鉛芯に相対し前進させ傾斜させる運動方向変換機構と、前記ホルダーを前記保持筒に対し後方へ付勢するホルダー付勢部材とを備えたシャープペンシルユニットが記載されている。そして、このシャープペンシルユニットを軸筒に収容すれば、容易に出没式筆記具を構成することができる。
この出没式筆記具によれば、所定の操作によりシャープペンシルユニットを前進させて、このシャープペンシルユニットの前端のホルダーを軸筒前端の開口から突出させた状態において、ホルダーから突出した鉛芯に径方向の力が加わると、ホルダーが保持筒及び鉛芯に相対して前進するため、このホルダーにより鉛芯を覆い保護することができる。
また、前記径方向の力が除去された際には、後退する際のホルダーを、弾性を有する芯ブレーカの前端部に当接して、その当接音を緩和することができる。
【先行技術文献】
【特許文献】
【０００３】
【特許文献１】特開２０１７−１５９５８０号公報
【発明の概要】
【発明が解決しようとする課題】
【０００４】
しかしながら、前記従来技術によれば、芯ブレーカは、保持筒の内周面に圧入等により固定されているため、その固定部分が、例えば、後退した際のホルダーとの当接等、何らかの衝撃を受けた際にずれたり外れたりするおそれがある。
【課題を解決するための手段】
【０００５】
このような課題に鑑みて、本発明は、以下の構成を具備するものである。
鉛芯を芯ブレーカに挿通して繰出すようにした鉛芯繰出し機構と、前記鉛芯繰出し機構を内在する保持筒とを備えたシャープペンシルユニットにおいて、前記保持筒は、複数の筒部を前後に接続して構成され、前記芯ブレーカは、前後の前記筒部の間に挟まれて支持されていることを特徴とするシャープペンシルユニット。
【発明の効果】
【０００６】
本発明は、以上説明したように構成されているので、芯ブレーカを、より確実に固定することができる。
【図面の簡単な説明】
【０００７】
【図１】本発明に係るシャープペンシルユニットの一例を示す縦断面図である。
【図２】同シャープペンシルユニットについて、第１の筒部に対し芯ブレーカを挿入して第２の筒部を接続する様子を示す縦断面図である。
【図３】同シャープペンシルユニットを具備した筆記具の一例を示す内部構造図である。
【図４】運動方向変換機構の作用を示す縦断面図であり、（ａ）は通常の筆記状態、（ｂ）はホルダーを前進させた状態を示す。なお、ハッチングは前の状態に対し移動した部分を示す。
【発明を実施するための形態】
【０００８】
本実施の形態では、以下の特徴を開示している。
第１の特徴は、シャープペンシルユニットであって、鉛芯を芯ブレーカに挿通して繰出すようにした鉛芯繰出し機構と、前記鉛芯繰出し機構を内在する保持筒とを備えたシャープペンシルユニットにおいて、前記保持筒は、複数の筒部を前後に接続して構成され、前記芯ブレーカは、前後の前記筒部の間に挟まれて支持されている（図１、図２及び図４参照）。
【０００９】
第２の特徴は、前記芯ブレーカの後端側に、径方向外側へ突出する鍔部を設け、この鍔部を、前後に隣接する前記筒部の間に挟んでいる（図１、図２及び図４参照）。
【００１０】
第３の特徴は、前記芯ブレーカよりも前側にて前記保持筒の前端開口部に挿通されて前方へ突出するホルダーと、前記鉛芯から前記ホルダーに加わる径方向の力成分により前記ホルダーを前記保持筒に相対し前進させ傾斜させる運動方向変換機構と、前記ホルダーを後方へ付勢するホルダー付勢部材とを具備し、前記芯ブレーカは、その前端側に、前記保持筒の内周面との間に隙間を確保して縮径した縮径部を有し、この縮径部によって前記ホルダーの後端部を弾性的に受けている（図１、図２及び図４参照）。
【００１１】
第４の特徴は、隣接する前後の前記筒部が、螺合接続されている（図２参照）。
【００１２】
第５の特徴は、隣接する前後の前記筒部が、圧入嵌合により接続固定されている。
【００１３】
第６の特徴は、上記シャープペンシルユニットを具備して出没式筆記具を構成した（図３参照）。
【００１４】
第７の特徴は、上記シャープペンシルユニットの製造方法であって、前後の前記筒部を接続する際に、これら筒部の間に前記芯ブレーカを挟持する工程を含む（図２参照）。
【００１５】
＜具体的実施態様＞
次に、上記特徴を有する具体的な実施態様について、図面に基づいて詳細に説明する。本明細書中、軸方向とは、保持筒１０の中心線の延びる方向を意味する。また、「前」とは、前記軸方向の一方側であって鉛芯が繰り出される方向を意味する。また、「後」とは、前記一方側に対する逆方向側を意味する。
【００１６】
図１に示すシャープペンシルユニット１は、鉛芯ｘを芯ブレーカ３０に挿通して繰出すようにした鉛芯繰出し機構Ｍ１と、鉛芯繰出し機構Ｍ１を内在する保持筒１０と、芯ブレーカ３０よりも前側にて保持筒１０の前端開口部に挿通されて前方へ突出するホルダー２０と、鉛芯ｘからホルダー２０に加わる径方向の力成分によりホルダー２０を保持筒１０及び鉛芯ｘに相対し前進させて傾斜する運動方向変換機構Ｍ２と、保持筒１０の後端側に接続された芯タンク部６０とを具備し、芯タンク部６０の進退操作により鉛芯ｘを繰り出す。
【００１７】
保持筒１０は、ホルダー２０を前端開口部に挿通して前方へ突出する第１の筒部１１と、この第１の筒部１１の後端側に同芯状に接続されるとともに芯ブレーカ３０を第１の筒部１１との間に挟み込んで支持する第２の筒部１２と、第２の筒部１２の後端側に同芯状に接続された第３の筒部１３とを一体的に具備している。
なお、第２の筒部１２と第３の筒部１３は、一体の部材から構成することも可能である。
【００１８】
第１の筒部１１は、金属等の硬質材料から略円筒状に形成される。この第１の筒部１１の後端側の内周面には、第２の筒部１２との間に芯ブレーカ３０を挟持するための環状の段部１１ａと、段部１１ａよりも後側で第２の筒部１２の前端側外周面に重なり合って接合される環状の被接合面１１ｂとが形成される。
【００１９】
第２の筒部１２は、金属等の硬質材料により前後方向へわたる筒状に形成される。
この第２の筒部１２における外周面の前端側には、第１の筒部１１後端側の被接合面１１ｂに重なり合って接合される接合面１２ａと、接合面１２ａよりも後側を拡径することで形成される段部１２ｂとが形成される（図２参照）。
【００２０】
被接合面１１ｂと接合面１２ａは、図示例によればオネジ部とメネジ部であり、螺合して接続固定される。
なお、他例としては、被接合面１１ｂに対し接合面１２ａを圧入嵌合する構成とすることも可能である。
【００２１】
第２の筒部１２側の段部１２ｂは、第１の筒部１１の後端部に当接して、第２の筒部１２の前後方向の位置決めをする。
【００２２】
芯ブレーカ３０は、エラストマー樹脂や合成ゴム等の弾性材料によって先細な略円筒状に形成され、ホルダー２０における受け部２２の後端部を弾性的に受けている。
【００２３】
詳細に説明すれば、この芯ブレーカ３０は、後端側にてその前部側よりも径方向外側へ突出する鍔部３１と、鍔部３１よりも前側にて第１の筒部１１の内周面との間に隙間ｓ（図４参照）を確保して縮径された縮径部３２とを有する。
【００２４】
鍔部３１は、第１の筒部１１の段部１１ａに係止可能な円環状に形成される。この鍔部３１は、段部１１ａと第２の筒部１２前端部との間に挟まれて弾性的に収縮する。
なお、鍔部３１の他例としては、周方向において部分的に径方向外側へ突出する複数の突起とすることも可能である。
【００２５】
縮径部３２は、前方へ向かって徐々に縮径される先細筒状に形成され、第１の筒部１１の内周面との隙間ｓを前方へゆくにしたがって徐々に大きくしている（図４参照）。
この縮径部３２の他例としては、鍔部３１に対し段状に縮径された円筒状の態様とすることも可能である。
【００２６】
また、運動方向変換機構Ｍ２は、第１の筒部１１、第１の筒部１１に内在されて前方へ突出するホルダー２０、ホルダー２０を後方へ付勢するホルダー付勢部材２３等によって構成され、鉛芯ｘを介してホルダー２０に加わる径方向の力成分により、鉛芯ｘ及び保持筒１０等に相対しホルダー２０を前進させる。
【００２７】
ホルダー２０は、カム斜面２１ａを有するホルダー本体部２１と、ホルダー本体部２１の後側に接続された受け部２２とから一体的に構成され、保持筒１０に対し進退可能に支持される。このホルダー２０は、鉛芯ｘに加わる径方向の力成分により前進した際、若干傾斜する（図４参照）。なお、ホルダー本体部２１と受け部２２は、一体の部材とすることが可能である。
【００２８】
鉛芯繰出し機構Ｍ１は、図１に示すように、上述した芯ブレーカ３０と、芯ブレーカ３０よりも後側で進退運動するチャック部４０と、チャック部４０に対し後側から環状に嵌り合うクラッチリング４１と、クラッチリング４１をその後方側から受ける略筒状のクラッチ受け４２と、チャック部４０の後端側を支持する支持部材４３と、支持部材４３の後端側に接続されて芯タンク部６０の進退を案内するガイド筒部４４と、第１〜第３の付勢部材５１〜５３とを備える。
この鉛芯繰出し機構Ｍ１は、芯タンク部６０から伝達される進退運動により、チャック部４０に挟持した鉛芯ｘを繰り出す。また、この鉛芯繰出し機構Ｍ１は、チャック部４０に挟持した鉛芯ｘに予め設定された筆圧よりも強い後向きの付勢力が加わった際に、鉛芯ｘと共にチャック部４０等を後退させる。
【００２９】
なお、鉛芯繰出し機構Ｍ１及び運動方向変換機構Ｍ２の基本構造には、特許文献１のものを適用することが可能である。
【００３０】
また、芯タンク部６０は、前端部を開口した略筒状に構成され、鉛芯繰出し機構Ｍ１に対し後方側から鉛芯ｘを供給する。この芯タンク部６０は、保持筒１０の後端側に進退可能に係合したスライド筒部６１と、このスライド筒部６１に接続されて後方へ延設された円筒状のタンク本体部６２とから構成される。これらスライド筒部６１とタンク本体部６２は、一体の部材から形成することが可能である。
【００３１】
次に、上記構成のシャープペンシルユニット１について、その製造方法上の特徴を説明する。
シャープペンシルユニット１の製造方法では、図２に示すように、前後の第１の筒部１１と第２の筒部１２を接続する際に、これら筒部１１，１２の間に芯ブレーカ３０を挟持する工程を含む。
【００３２】
詳細に説明すれば、先ず、第１の筒部１１内の後端側に、その後方側から芯ブレーカ３０が挿入される。芯ブレーカ３０は、鍔部３１の前端面を段部１１ａに当接するようにして位置決めされる（図２参照）。
【００３３】
次に、第１の筒部１１内の芯ブレーカ３０よりも後側に、第２の筒部１２の接合面１２ａの部分を挿入し、第１の筒部１１側の被接合面１１ｂ（メネジ部）に対し、第２の筒部１２側の接合面１２ａ（オネジ部）がねじ込まれる。そして、このねじ込みにより、第２の筒部１２は、その段部１２ｂを第１の筒部１１の最後端部に当接するまで前進する。
この前進に伴い、第１の筒部１１側の段部１１ａと第２の筒部１２の最前端部との間に、芯ブレーカ３０の鍔部３１が挟持され、鍔部３１が弾性的に収縮する。
このため、被接合面１１ｂ（メネジ部）と接合面１２ａ（オネジ部）の螺合状態が緩むのを鍔部３１の弾発力により阻むことができる。
【００３４】
そして、上記構成のシャープペンシルユニット１は、図３に例示するように、多機能出没式筆記具Ａに組み込まれる。
多機能出没式筆記具Ａは、複数の駒ａ２，ａ３を選択的に前進させる操作により、前進した駒ａ２（又はａ３）に接続されたリフィールの前端筆記部を、軸筒ａ１前端から前方へ突出させる。前記リフィールは、図示例によれば、シャープペンシルユニット１又はボールペンリフィール９である。
例えば、開閉機能付きクリップａ６を有する駒ａ２が、コイルスプリングａ４の付勢力に抗して前進操作され、この駒ａ２に接続されたシャープペンシルユニット１（リフィール）の前端筆記部が、軸筒ａ１の前端開口部から前方へ突出すると、駒ａ２が軸筒ａ１内に設けられる係止部ａ５に係止され、この突出状態が維持される。
この突出状態において、クリップａ６を前進させる操作を行えば、シャープペンシルユニット１の前端から鉛芯ｘが繰り出される。
なお、この多機能出没式筆記具Ａには、例えば特開２０１４−１９８４３９号公報に示される基本構造を適用することが可能である。
【００３５】
上記構成の多機能出没式筆記具Ａによれば、図４（ａ）（ｂ）に示すように、鉛芯ｘが強く被筆記面ｐ（例えば紙面等）に押し付けられる等して、鉛芯ｘに過剰な径方向の力が加わった際には、保持筒１０の前端開口部にカム斜面２１ａが摺接することで、鉛芯ｘ及び保持筒１０に相対しホルダー２０が前進する。
そして、前記径方向の力が除去された際には、ホルダー２０がホルダー付勢部材２３の付勢力によって後退し、受け部２２の後端部が芯ブレーカ３０に当接し、芯ブレーカ３０が弾性的に圧縮変形して、図４（ａ）に示す状態に戻る。
前記後退の際、芯ブレーカ３０前端側の縮径部３２が、第１の筒部１１内周面との隙間ｓ側へ柔軟に弾性変形する。
よって、前記当接の際の衝撃を効果的に低減して、その衝撃音の発生を防ぐとともに、前記衝撃により芯ブレーカ３０がずれたり外れたりするのを防ぐことができる。
【００３６】
また、ホルダー２０の前進及び傾斜に伴い鉛芯ｘが撓んだ場合（図４（ｂ）参照）でも、この鉛芯ｘの撓みに追従するように芯ブレーカを弾性変形させることができる。このため、前記撓みに起因する鉛芯ｘの折損を防ぐことができる。
【００３７】
なお、上記実施の形態によれば、特に好ましい態様として、運動方向変換機構Ｍ２を具備したが、他例としては、運動方向変換機構Ｍ２を具備しないシャープペンシルユニットに対し、上述した芯ブレーカ３０等の構造を適用することも可能である。
【００３８】
また、本発明は上述した実施態様に限定されず、本発明の要旨を変更しない範囲で適宜変更可能である。
【符号の説明】
【００３９】
１：シャープペンシルユニット
１０：保持筒
１１：第１の筒部
１２：第２の筒部
１３：第３の筒部
２０：ホルダー
３０：芯ブレーカ
３１：鍔部
３２：縮径部
６０：芯タンク部
ｓ：隙間
ｘ：鉛芯
Ａ：多機能出没式筆記具
Ｍ１：鉛芯繰出し機構
Ｍ２：運動方向変換機構
【図１】
2020116913.tif 000003
【図２】
2020116913.tif 000004
【図３】
2020116913.tif 000005
【図４】
2020116913.tif 000006